(57)【要約】【課題】Graphics属性やImage属性のオブジェクトを背景とした文字や線について、背景の濃度と馴染ませつつ、その形状の崩れを軽減させる。【解決手段】画像処理装置であって、印刷対象の入力画像データについて画素毎の属性を示す属性情報を生成する手段と、前記入力画像データの色空間を、印刷に用いる色材色に対応する色空間に色変換する色変換処理手段と、前記色変換後の画像データに対し、前記属性情報に基づき、各画素の属性に応じた中間調処理を行なう中間調処理手段と、を備え、前記中間調処理手段は、前記色変換後の画像データにおける各画素の属性が、文字又は線の属性である場合に、当該属性に係る文字又は線のオブジェクトの背景領域を構成する網点において、当該文字又は線のオブジェクトの所定の近傍領域における網点のサイズを当該近傍領域外の網点のサイズよりも小さくした、網点画像データを生成することを特徴とする。【選択図】図８
2017085456.tif 000002
【特許請求の範囲】
【請求項１】
印刷対象の入力画像データについて画素毎の属性を示す属性情報を生成する手段と、
前記入力画像データの色空間を、印刷に用いる色材色に対応する色空間に色変換する色変換処理手段と、
前記色変換後の画像データに対し、前記属性情報に基づき、各画素の属性に応じた中間調処理を行なう中間調処理手段と、
を備え、
前記中間調処理手段は、前記色変換後の画像データにおける各画素の属性が、文字又は線の属性である場合に、当該属性に係る文字又は線のオブジェクトの背景領域を構成する網点において、当該文字又は線のオブジェクトの所定の近傍領域における網点のサイズを当該近傍領域外の網点のサイズよりも小さくした、網点画像データを生成する
ことを特徴とする画像処理装置。
【請求項２】
前記色変換後の画像データにおける着目画素の近傍に、文字又は線の属性の画素が存在する場合、当該着目画素について、前記中間調処理で使用するスクリーンの内容の切り替えを制御する切替制御情報を生成する手段をさらに備え、
前記中間調処理手段は、前記切替制御情報に基づいて、文字又は線の属性の画素が近傍に存在する前記着目画素に対するスクリーンの内容を切り替えることにより、前記網点画像データを生成する
ことを特徴とする請求項１に記載の画像処理装置。
【請求項３】
前記色変換後の画像データにおける着目画素の近傍に文字又は線の属性の画素が存在する場合、当該着目画素の属性を、近傍に文字又は線の属性の画素が存在することを示す別の属性に書き換える書換手段をさらに備え、
前記中間調処理手段は、前記別の属性に書き換えられた前記注目画素に対し、前記別の属性について予め定めた内容のスクリーンを適用することにより、前記網点画像データを生成する
ことを特徴とする請求項１に記載の画像処理装置。
【請求項４】
前記予め定めた内容のスクリーンは、図形又は写真の属性に割り当てられた線数以上の線数を持つスクリーンであることを特徴とする請求項３に記載の画像処理装置。
【請求項５】
前記背景領域は、図形又は写真の属性の画素で構成され、
前記切替制御情報を生成する手段は、図形及び写真の属性に割り当てられたスクリーンの線数が所定の線数以下である場合、前記色変換後の画像データにおける着目画素の近傍に、文字又は線の属性の画素が存在するかどうかを判定する近傍属性判定処理を行なって、前記切替制御情報を生成する
ことを特徴とする請求項２に記載の画像処理装置。
【請求項６】
前記背景領域は、図形又は写真の属性の画素で構成され、
前記書換手段は、図形及び写真の属性に割り当てられたスクリーンの線数が所定の線数以下である場合に、前記色変換後の画像データにおける着目画素の近傍に、文字又は線の属性の画素が存在するかどうかを判定する近傍属性判定処理を行なって、前記属性の書き換えを行なう
ことを特徴とする請求項３に記載の画像処理装置。
【請求項７】
前記近傍属性判定処理は、前記色変換後の画像データにおける着目画素を中心とするM×N画素の範囲に、文字又は線の属性の画素が存在しているか否かを、前記属性情報を用いて判定することを特徴とする請求項５又は６に記載の画像処理装置。
【請求項８】
前記切替制御情報が、使用するスクリーンの内容を切り替えることを示す場合、
前記中間調処理手段は、使用するスクリーンをより高い線数のスクリーンに切り替え、又はスクリーンの種類をラインスクリーンからドットスクリーンに切り替えることにより、前記網点画像データを生成することを特徴とする請求項２に記載の画像処理装置。
【請求項９】
前記より高い線数のスクリーンは、図形又は写真の属性に割り当てられた線数以上の線数のスクリーンであることを特徴とする請求項８に記載の画像処理装置。
【請求項１０】
前記色変換後の画像データにおける着目画素の属性が、図形又は写真の属性である場合であってその近傍に文字又は線の属性の画素が存在する場合、当該着目画素の属性を、文字又は線の属性に書き換える書換手段をさらに備えたことを特徴とする請求項１に記載の画像処理装置。
【請求項１１】
前記印刷に用いる色材色に対応する色空間はCMYKであり、
各画素についてCMYK各色の単色比率を導出し、導出されたCMYKのいずれの色も単色比率が予め定めた閾値より小さい画素について、当該画素の前記切替制御情報が、使用するスクリーンの内容を切り替えることを示す場合、使用するスクリーンの内容を切り替えないことを示す切替制御情報に変更する手段をさらに備えたことを特徴とする請求項２に記載の画像処理装置。
【請求項１２】
前記印刷に用いる色材色に対応する色空間はCMYKであり、
各画素についてCMYK各色の単色比率を導出し、導出されたCMYKのいずれの色も単色比率が予め定めた閾値より小さい画素について、当該画素の属性が前記書換手段で書き換えられていた場合、元の属性に戻す手段をさらに備えたことを特徴とする請求項３に記載の画像処理装置。
【請求項１３】
前記入力画像データを構成するページのうち、複数色の色材を用いて印刷するページについてのみ、前記単色比率の導出を行なうことを特徴とする請求項１１又は１２に記載の画像処理装置。
【請求項１４】
前記色変換処理後の画像データに対して、前記属性情報に基づいて階調補正を行う階調補正手段をさらに備えたことを特徴とする請求項１乃至１３のいずれか１項に記載の画像処理装置。
【請求項１５】
前記階調補正手段は、前記色変換処理後の画像データにおける注目画素が、文字又は線の属性の画素である場合、近傍に文字又は線の属性の画素が存在する画素である場合、図形又は写真の属性の画素である場合、のぞれぞれの場合で異なる内容の階調補正を行なうことを特徴とする請求項１４に記載の画像処理装置。
【請求項１６】
前記文字は文字サイズが所定のサイズより小さい文字であり、前記線は線幅が所定の幅より狭い線であることを特徴とする請求項１乃至１５のいずれか１項に記載の画像処理装置。
【請求項１７】
前記所定の近傍領域を設定するための設定手段を備えたことを特徴とする請求項１乃至１６のいずれか１項に記載の画像処理装置。
【請求項１８】
前記入力画像データはPDLデータであり、
前記属性情報を生成する手段は、前記PDLデータにおけるPDLで記述された情報から前記属性情報を生成し、
前記色変換後の画像データは、前記PDLデータを解釈して得られたラスタ画像データである、
ことを特徴とする請求項１乃至１７のいずれか１項に記載の画像処理装置。
【請求項１９】
印刷対象の入力画像データについて画素毎の属性を示す属性情報を生成するステップと、
前記入力画像データの色空間を、印刷に用いる色材色に対応する色空間に色変換するステップと、
前記色変換後の画像データに対し、前記属性情報に基づき、各画素の属性に応じた中間調処理を行なうステップと、
を含み、
前記中間調処理を行なうステップでは、前記色変換後の画像データにおける各画素の属性が、文字又は線の属性である場合に、当該属性に係る文字又は線のオブジェクトの背景領域を構成する網点において、当該文字又は線のオブジェクトの近傍領域における網点のサイズを当該近傍領域外の網点のサイズよりも小さくした、網点画像データを生成する
ことを特徴とする画像処理方法。
【請求項２０】
コンピュータを、請求項１乃至１８のいずれか１項に記載の画像処理装置として機能させるためのプログラム。
【発明の詳細な説明】
【技術分野】
【０００１】
本発明は、背景に重なる文字やラインを印刷する際に、背景の網点によって文字やラインのオブジェクト形状が崩れて可読性が低くなるのを抑制する画像処理技術に関する。
【背景技術】
【０００２】
一般的に、プリンタにおいて文書を印刷する際、ページ記述言語（Page Description Language：PDL）に記述された情報から各画素の属性（文字、図形、写真等）を判別し、その属性に応じた画像処理を行っている。例えば、印刷対象文書内の文字・線領域の画素にはText属性、図形領域の画素にはGraphics属性、写真領域の画素にはImage属性といった具合に特徴に応じた属性信号を生成して画像処理を行っている。この他、より精度の高い再現を要求する領域に対しては、小ポイント文字（SmallText属性）や細線（ThinLine属性）といった属性信号を生成することが行なわれている。
【０００３】
そして、画像処理時には、例えばText属性が設定された画像領域には200線等の解像度が比較的高いスクリーンを使用し、文字の輪郭部分まで鮮明になるような画質を実現している。また、Graphics属性やImage属性が設定された画像領域には100線等の解像度が比較的低いスクリーンを使用し、網点のバラツキを抑えて、がさつきの少ない画質を実現している。
【０００４】
しかしながら、上記従来の方法では、Graphics属性やImage属性と接するText属性部分（スクリーンが切り替わる境界付近）において網点が繋がってしまい、その結果、Text属性のオブジェクトの形状が崩れ、画質劣化を招くこととなっていた。
【０００５】
このような問題に対しては、スクリーンが切り替わる境界付近で輪郭の強調又は抑制などの濃度コントロールを行う方法が提案されている。（特許文献１参照）。
【先行技術文献】
【特許文献】
【０００６】
【特許文献１】特開２００５−３４１２４９号公報
【発明の概要】
【発明が解決しようとする課題】
【０００７】
しかしながら、上記特許文献１の技術では、文字等の輪郭領域で濃度を変化させているに過ぎないため、スクリーンが切り替わる境界付近の網点サイズ自体は変化しない。その結果、線や文字のオブジェクト、特に小ポイント文字や細線のオブジェクト形状が大きく崩れ、可読性が低下することがあった。
【課題を解決するための手段】
【０００８】
本発明に係る画像処理装置、印刷対象の入力画像データについて画素毎の属性を示す属性情報を生成する手段と、前記入力画像データの色空間を、印刷に用いる色材色に対応する色空間に色変換する色変換処理手段と、前記色変換後の画像データに対し、前記属性情報に基づき、各画素の属性に応じた中間調処理を行なう中間調処理手段と、を備え、前記中間調処理手段は、前記色変換後の画像データにおける各画素の属性が、文字又は線の属性である場合に、当該属性に係る文字又は線のオブジェクトの背景領域を構成する網点において、当該文字又は線のオブジェクトの所定の近傍領域における網点のサイズを当該近傍領域外の網点のサイズよりも小さくした、網点画像データを生成することを特徴とする。
【発明の効果】
【０００９】
本発明によれば、Graphics属性やImage属性のオブジェクトを背景とした文字や線について、背景の濃度と馴染ませつつ、その形状の崩れを軽減させることが可能になる。
【図面の簡単な説明】
【００１０】
【図１】印刷システムの全体構成を示す図である。
【図２】画像形成装置の構成を示すブロック図である。
【図３】画像処理部の内部構成を示す図である。
【図４】印刷設定を行う際のメインのＵＩ画面の一例を示す図である。
【図５】印刷品質に関する設定を行うためのＵＩ画面の一例を示す図である。
【図６】「網点内文字／ライン改善」機能の詳細設定用のサブ画面を示す図である。
【図７】「網点内文字／ライン改善」機能の初期設定処理の流れを示すフローチャートである。
【図８】実施例１に係る、画像処理部における処理の流れを示すフローチャートである。
【図９】ラスタ画像とその属性情報の一例を示す図である。
【図１０】新規の属性に書き換えた場合の属性情報の一例を示す図である。
【図１１】実施例１に係る、階調補正処理の流れを示すフローチャートである。
【図１２】（ａ）はプリンタの出力特性を示すグラフであり、（ｂ）はオブジェクト属性による特性の違いを示したグラフである。
【図１３】実施例１に係る、中間調処理の流れを示すフローチャートである。
【図１４】本発明の効果を説明する図である。
【図１５】実施例２に係る、画像処理部における処理の流れを示すフローチャートである。
【図１６】単色比率判定処理の流れを示すフローチャートである。
【図１７】単色比率判定の実行要否判定処理の流れを示すフローチャートである。
【発明を実施するための形態】
【００１１】
以下、添付の図面を参照して、本発明を実施する形態について説明する。なお、以下の実施例において示す構成は一例に過ぎず、本発明は図示された構成に限定されるものではない。
【００１２】
［実施例１］
図１は、本実施例に係る印刷システムの全体構成を示す図である。印刷システム１００は、画像形成装置１０１、ホストコンピュータ１０２、モバイル端末１０３及びサーバ１０４で構成され、これらがネットワーク１０５を介して相互に接続されている。
【００１３】
画像形成装置１０１は、例えばＭＦＰ（Multi Function Peripheral）等の印刷機能を備えた装置である。画像形成装置１０１は、ネットワーク１０５を介したホストコンピュータ１０２、モバイル端末１０３、サーバ１０４からの印刷指示に応じて印刷出力を行なう。また、付属するスキャナを利用して読み取った画像データを、印刷出力したり（コピー機能）、サーバ１０４等に送信する（ＳＥＮＤ機能）ことも可能である。
【００１４】
そして、画像形成装置１０１では、印刷出力時に、文字や線（特に小ポイント文字と細線）の近傍領域において、背景を構成する網点のサイズが小さくなるよう画像処理を行なう。以下では、当該画像処理を伴う印刷処理を画像形成装置１０１内の閉じた構成で実現する態様について説明を行うものとする。しかしながら、このような閉じた構成に限るものではなく、ホストコンピュータ１０２、モバイル端末１０３、サーバ１０４などと連携した分散処理によって実現するようにしてもよい。
【００１５】
次に、画像形成装置１０１の構成について説明する。図２は、画像形成装置１０１の構成を示すブロック図である。画像形成装置１０１は、制御部２００、操作部２１０、スキャナ２２０、プリンタ部２３０を備える。制御部２００には、操作部２１０の他、画像入力デバイスであるスキャナ２２０と、画像出力デバイスであるプリンタ部２３０が接続される。
【００１６】
制御部２００は、操作部I/F２０１、ＣＰＵ２０２、ＲＡＭ２０３、デバイスI/F２０４、ＨＤＤ２０５、ＲＯＭ２０６、ネットワークI/F２０７、画像処理部２０８を有し、それらはシステムバス２０９を介して相互に接続されている。
【００１７】
ＣＰＵ２０２は、ＲＯＭ２０６に格納されているブートプログラムによりＯＳを起動する。ＣＰＵ２０２は、このＯＳ上で、ＨＤＤ２０５に格納されているアプリケーションプログラムを実行し、これによって各種処理を実行する。このＣＰＵ２０２の作業領域としてはＲＡＭ２０３が用いられる。また、ＲＡＭ２０３は、作業領域を提供するとともに、画像データを一時記憶するための画像メモリ領域を提供する。ＨＤＤ２０５は、上記アプリケーションプログラムや画像データ、各種設定値を格納する。
【００１８】
操作部I/F２０１は、タッチパネルを有する操作部２１０とのインタフェースであり、操作部２１０に表示する各種画面データを出力する。また、操作部Ｉ／Ｆ２０１は、操作部２１０によってユーザにより入力された情報をＣＰＵ２０２に送出する。デバイスＩ／Ｆ２０４は、スキャナ２２０及びプリンタ部２３０とのインタフェースである。画像形成装置１０１は、ネットワークI/F２０７とネットワーク１０５を介して、ホストコンピュータ１０２、モバイル端末１０３、サーバ１０４との間で印刷対象の画像データなど各種データのやり取りを行う。
【００１９】
画像処理部２０８では、印刷対象の画像データに対する、色変換処理、レンダリング処理、階調補正処理、中間調処理などの画像処理を行う。その際、各種印刷設定に基づき、網点内の文字や線を改善するための処理を併せて行う。プリンタ部２３０は、画像処理部２０８で処理された印刷用データに基づいて記録媒体上に色材を用いて画像を形成する。このような、制御部２００の下で機能する画像処理部２０８を、画像形成装置１０１とは独立した画像処理装置として構成してもよい。
【００２０】
図３は、画像処理部２０８の内部構成を示す図であり、レンダリング処理部３０１、色変換処理部３０２、切替処理部３０３、階調補正処理部３０４、中間調処理部３０５、で構成されている。
【００２１】
レンダリング処理部３０１は、ページ記述言語（Page Description Language：PDL）で記述された入力画像データを解釈してラスタ画像データに変換する処理を行なう。また、PDLで記述された情報から各画素の特徴（文字、図形、写真といった属性）を判別し、Text、Graphics、Imageといった画素毎の属性を示す情報（属性情報）を生成する。その際、文字サイズが所定のサイズより小さい文字（小ポイント文字）に対してはSmallText属性、線幅が所定の幅より狭い線（細線）に対してはThinLine属性といった属性情報が生成される。
【００２２】
色変換処理部３０２は、入力画像データの色空間（例えばRGB）をプリンタ部２３０で使用する複数の色材色に対応した色空間（例えばCMYK）に変換する。
【００２３】
切替処理部３０３は、上記SmallText属性やThinLine属性の画素が着目画素の近傍に存在するかどうかの判定処理（近傍属性判定処理）を行なう。そして、判定結果に応じて、中間調処理部３０５で使用するスクリーンの内容（例えば、スクリーンの線数や種類）の切り替えを制御する切替制御情報を生成したり、新たな属性を付与したりする処理を行なう。
【００２４】
階調補正処理部３０４は、プリンタ部２３０の階調特性を記したＬＵＴ等を用いて階調補正処理を行う。
【００２５】
中間調処理部３０５は、階調補正処理が施された画像データに対し、オブジェクトの属性に応じた中間調処理を行なって、網点（ハーフトーンドット）で表現された印刷用の網点画像データに変換する。この場合において、本実施例の中間調処理では、文字や線のオブジェクトの背景領域を構成する網点において、当該文字又は線のオブジェクトの近傍領域における網点のサイズを当該近傍領域外の網点のサイズよりも小さくした網点画像データが生成される。その詳細については後述する。
【００２６】
（印刷設定画面）
続いて、ユーザが印刷条件を設定する際に使用するＵＩ画面について説明する。図４は印刷設定を行う際のメインのＵＩ画面（印刷設定画面）の一例を示す図である。このようなＵＩ画面が操作部２１０、或いはホストコンピュータ１０２やモバイル端末１０３のモニタ上に表示される。
【００２７】
図４に示す印刷設定画面４００には、ページ設定タブ、仕上げタブ、給紙タブ、印刷品質タブが存在し、ユーザは目的に応じてタブを選択して各種の印刷設定を行う。いま、印刷設定画面４００では、印刷品質タブ４０１が選択されている。そして、印刷品質タブ４０１内の処理オプションボタン４０２を押下することで、印刷品質に関わる詳細設定を行うためのＵＩ画面が例えば別ウィンドウで表示される。また、カラーモード設定欄４０３では、カラーで印刷するのか、モノクロで印刷するのか、或いはページ内容や他の設定に応じたカラー／モノクロ自動切替で印刷するのかを選択することができる。
【００２８】
図５は、印刷品質に関する設定を行うためのＵＩ画面（処理オプション画面）の一例を示す図である。図５に示す処理オブション画面５００において、項目一覧表示欄５０１には、処理オプションとして指定可能な設定項目と、各設定項目に対応する現在の設定内容がリスト表示される。ユーザが、項目一覧表示欄５０１にリスト表示された中から任意の項目を選択すると、選択項目表示欄５０２に当該選択中の項目が表示され、設定値入力欄５０３にて設定内容を変更することができるようになる。図５の例では、本実施例の特徴的な機能である「網点内文字／ライン改善」が選択され、その設定内容として「使う」が設定されている。そして、選択中の項目についての更なる詳細を設定できる場合は詳細ボタン５０４が表示され、これを押下することで詳細設定のためのＵＩ画面が表示される。図６は、「網点内文字／ライン改善」が選択中において詳細ボタン５０４が押下された場合に表示される詳細設定用のサブ画面６００である。このサブ画面６００において、「網点内文字／ライン改善」機能を利用する際の、注目画素を中心とした検索を行う範囲と、SmallText属性及びThinLine属性を付与する画素を判別するための閾値を設定することができる。図６に示すサブ画面６００において、SmallTextオブジェクト設定欄６０１には、SmallText属性を付与する文字の判別に必要な２種類の情報の入力欄が設けられている。具体的には、小ポイント文字として扱う文字サイズのポイント数の「文字サイズ」入力欄６０２、及びSmallText属性とする画素を検索する範囲を指定する「適用幅」入力欄６０３が存在する。また、ThinLineオブジェクト設定欄６０４には、ThinLine属性を付与する細線の判別に必要な２種類の情報の入力欄が設けられている。具体的には、細線として扱う線の細さを規定する「ライン幅」入力欄６０５、及びThinLine属性とする画素を検索する範囲を指定する「適用幅」入力欄６０６が存在する。なお、図６の例では、２つの「適用幅」入力欄６０３及び６０６において、縦と横が同じ幅であることを前提として１つの値を指定することとしているが、縦幅と横幅を別々に指定できるようにしてもよい。
【００２９】
また、項目一覧表示欄５０１にリスト表示された中から「中間調」を選択することで、中間調処理の内容を規定したパターンを設定することができる。図５の例では、「パターン２」が設定されている。ここでパターン２は、Text属性に高線数（212線）のスクリーン、Graphics属性及びImage属性に低線数（106線）のスクリーンを割り当てるデフォルトパターン（組合せ）であるものとする。そして、このパターン２では、細部の再現が重要なSmallText属性の小ポイント文字やThinLine属性の細線についても、通常の文字（Text属性）と同じ高線数（212線）のスクリーンが用いられるものとする。ユーザは、項目一覧表示欄５０１にリスト表示された中から「中間調」を選択して設定内容（パターン）を変えることで、適用する中間調処理の内容を任意に調整することができる。すなわち、属性別に割り当てるスクリーン線数の組合せを変更したり、オブジェクトの全属性に共通のスクリーン線数を適用したり、或いは誤差拡散処理を割り当てたりすることができる。
【００３０】
また、項目一覧表示欄５０１にリスト表示された中から「グレー補償」を選択することで、グレー補償を行うオブジェクトの属性を指定することができる。なお、グレー補償とは、ディスプレイ上でグレーに見えるＲＧＢの各値が等量のカラー画像信号値をＫ単色の信号値に置き換えて印刷する機能である。
【００３１】
（網点内文字／ライン改善機能の初期設定処理）
上述のようにしてユーザが印刷設定画面において、「網点内文字／ライン改善」の項目を「使う」に設定すると、現在の印刷設定の内容に従って当該機能を有効に使用するための初期設定処理がなされる。図７は、この初期設定処理の流れを示すフローチャートである。この一連の処理は、ＨＤＤ２０５又はＲＯＭ２０６に格納されたプログラムをＲＡＭ２０３に展開し、それをＣＰＵ２０２が実行することによって実現される。
【００３２】
ステップ７０１では、前述の処理オプション画面５００の項目一覧表示欄５０１における「中間調設定」の設定内容（パターン）が取得される。
【００３３】
ステップ７０２では、取得したパターンの情報からGraphics属性やImage属性に割り当てられているスクリーン線数の情報が抽出され、抽出したスクリーン線数と予め定めた閾値（Lpi_Th）とが比較判定される。閾値（Lpi_Th）は、細部の再現性が重要なオブジェクトにおいて形状崩れが起きて可読性が落ちる可能性があるかどうかを判定するためのものであり、ここでは閾値（Lpi_Th）を150lpiとする。これは、Graphics属性やImage属性に割り当てられているスクリーン線数が所定の線数以下の場合、その属性のオブジェクト（背景）に囲まれたText属性のオブジェクト（文字や線）において形状崩れの可能性ありと判定するものである。判定の結果、Graphics属性やImage属性に割り当てられているスクリーン線数が閾値Lpi_Thより小さい場合は、ステップ７０３に進む。一方、Graphics属性やImage属性に割り当てられているスクリーン線数が閾値Lpi_Thより大きい場合は、ステップ７０４に進む。
【００３４】
ステップ７０３では、入力画像データの印刷処理時に、切替処理部３０３にて上記近傍属性判定処理を行なう設定が、画像処理部２０８に対しＣＰＵ２０２によってなされる。これにより、階調補正処理部３０４及び中間調処理部３０５において、上述した属性情報（及び切替制御情報）に基づいた処理内容の切替がなされることになる。
【００３５】
ステップ７０４では、上記近傍属性判定処理を実施することなく、ＵＩ画面（前述の処理オプション画面５００の項目一覧表示欄５０１）でユーザが指定したとおりに各種処理を行なう設定が画像処理部２０８に対しＣＰＵ２０２によってなされる。
【００３６】
以上が、「網点内文字／ライン改善」機能を有効化するための初期設定処理の内容である。
【００３７】
次に、プリンタ部２３０を利用して印刷出力する際の、画像処理部２０８の動作について説明する。図８は、本実施例に係る、画像処理部２０８における処理の流れを示すフローチャートである。この一連の処理も、ＨＤＤ２０５又はＲＯＭ２０６に格納されたプログラムをＲＡＭ２０３に展開し、それをＣＰＵ２０２が実行することによって実現される。
【００３８】
ステップ８０１では、印刷出力の対象となる入力画像データとして、PDLで記述された画像データが取得される。取得した入力画像データは、レンダリング処理部３０１に送られる。
【００３９】
ステップ８０２では、レンダリング処理部３０１において、入力画像データに含まれるPDLを解釈してラスタ画像データに変換する。ラスタ画像データは、色変換処理部３０２に送られる。さらに、レンダリング処理部３０１では、PDLを解析して各画素の特徴（文字、図形、写真等の属性）を判別し、画素毎の属性を示す属性情報が生成される。本実施例では、文字にはText属性、図形にはGraphics属性、写真にはImage属性、小ポイント文字にはSmallText属性、細線にはThinLine属性といった属性情報が画素毎に生成される。生成された画素毎の属性情報は、切替処理部３０３に送られる。図９は、ラスタ画像（モノクロ）とその属性情報の一例を示す図であり、上端と下端が黒の線で縁取られたグレーの矩形の中に数字「４」が存在している。そして、数字「４」には小ポイント文字を表すSmallText、グレーの矩形にはGraphics、上端及び下端の黒の線にはThinlineの各属性が割り当てられている。
【００４０】
ステップ８０３では、ステップ８０２で生成されたラスタ画像データにおける着目画素が決定される。例えば、ラスタ画像内の左隅の画素から順に各画素が着目画素として決定される。
【００４１】
ステップ８０４では、切替処理部３０３において、ステップ８０２で生成された属性情報を用いて、着目画素に対する近傍属性判定処理が実行される。ここでは、切替制御情報として、切替フラグを生成する例を中心に説明する。まず、着目画素を中心としたM×N画素の領域内にSmallText属性或いはThinLine属性の画素が存在するかどうかの検索を行う。この場合の検索範囲であるM×N画素の範囲と、SmallText及びThinLineの属性を判別するための閾値については、前述の図６に示す「網点内文字／ライン改善の詳細」画面６００にて設定された内容が適用される。本実施例ではmm単位で指定されるので（詳細設定画面６００における入力欄６０３及び６０４を参照）、本ステップで利用する場合は画素単位に変換する必要がある。すなわち、図５に示した処理オプション画面５００の「項目一覧」表示欄５０１における「解像度」の設定内容に応じて、画素単位に換算（四捨五入）するものとする。例えば、600dpiの0.2mmであれば、0.2mm÷(25.4mm×600pix)≒5pixとなり、着目画素を中心とした5×5pixの範囲で、SmallText或いはThinLineの属性を持つ画素の有無が検索されることになる。検索の結果、着目画素を中心としたM×N画素の範囲内にSmallText属性或いはThinLine属性の画素が存在する場合は、上述の切替フラグの値を、中間調処理で使用するスクリーン線数の切替を行なうことを示すONに設定する。一方、存在しない場合は、切替を行なわないことを示すOFFに設定する。なお、前述の初期設定処理にて近傍属性判定処理を実行する設定がなされなかった場合は、切替フラグの値はOFF固定となる。生成された切替フラグは属性情報と共に色変換処理部３０２に送られる。
【００４２】
ステップ８０５では、色変換処理部３０２において、着目画素の色空間（例えばRGB）を、プリンタ部２３０に対応する色空間（例えばCMYK）に変換する色変換処理が実行される。なお、色変換処理においては、上述の「グレー補償設定」の内容と属性情報とに基づいて、グレー補償の有無を切替えながら変換がなされる。このとき、切替フラグがONの領域に対して属性の種類とは独立してグレー補償を設定できるようにし、当該設定に従って色変換処理を行なってもよい。切替フラグがONの領域に対して、SmallTextやThinLineの属性部分と異なるグレー補償設定にすることで、グレー部分の境界面を強調することができ、オブジェクトの形状を補強することができる。色変換処理後の着目画素のデータ（CMYKデータ）は、属性情報及び切替フラグと共に、階調補正処理部３０４に送られる。
【００４３】
ステップ８０６では、階調補正処理部３０４において、CMYK色空間に色変換された着目画素に対して、プリンタ部２３０の階調特性を考慮した階調補正処理が実行される。なお、階調特性は後述の中間調処理の手法によって変動するため、中間調処理の手法に応じて階調補正処理の内容を切り替える必要がある。すなわち、属性情報、切替フラグ、及び項目一覧表示欄５０１における「中間調設定」の内容に応じて、階調補正処理の内容が切り替えられる。この切替を伴う階調補正処理の詳細については後述する。階調補正後の着目画素のデータは、属性情報及び切替フラグと共に、中間調処理部３０５に送られる。
【００４４】
ステップ８０７では、中間調処理部３０５において、階調補正後の着目画素のデータに対して中間調処理が実行され、プリンタ部２３０で利用可能な画像データである、網点で表現された網点画像データが生成される。本実施例では、切替フラグがONの箇所でより細かい網点が形成されるよう、属性情報、切替フラグ、及び項目一覧表示欄５０１における「中間調設定」の内容に応じて、中間調処理の内容が切り替えられる。この切替を伴う中間調処理の詳細については後述する。
【００４５】
ステップ８０８では、ステップ８０２で生成されたラスタ画像データ内のすべての画素が着目画素として処理されたかどうかが判定される。未処理の画素があれば、ステップ８０３に戻って次の注目画素を決定して処理を続行する。一方、全画素の処理が完了していれば本処理を終える。こうして生成された網点画像データはプリンタ部２３０に送られ、印刷出力に供される。なお、入力画像データが複数ページで構成される場合は、ページ単位で以上の処理が繰り返されることになる。
【００４６】
以上が、本実施例に係る、画像処理部２０８における処理の内容である。なお、上述のステップ８０４では、着目画素の近傍領域内にSmallText属性或いはThinLine属性の画素が存在する場合に切替フラグを生成したが、これに限られない。切替フラグを生成する代わりに、当該着目画素に付与された属性（例えばGraphics属性）を、小ポイント文字や細線の近傍領域の画素であることを示す新規の属性（本実施例ではNearArea属性）に書き換えてもよい（図１０を参照）。もしくは、文字部分は高線数が割当てられるのが一般的なので、既存のText（SmallTextやThinLineでもよい）属性に書き換えてもよい。既存の属性に書き換える場合は、後述する切替フラグによる階調補正処理及び中間調処理の切替は不要となる。近傍領域の属性をText属性に書き換えることで、従来通りの属性情報による中間調処理の切替動作だけで文字付近の網点サイズを小さくすることができる。
【００４７】
（階調補正処理）
次に、階調補正処理部３０４における、オブジェクト属性と切替フラグに基づいた処理内容の切替を伴う階調補正処理について説明する。図１１は、本実施例に係る、階調補正処理の流れを示すフローチャートである。なお、本フローチャートでは説明の簡略化のため、「中間調設定」の内容として前述の「パターン２」が設定されているものとして説明を行なうものとする。つまり、Text属性（SmallTextとThinLineを含む）の場合は高線数用の階調補正処理が適用され、Graphics属性とImage属性の場合は切替フラグに応じて近傍高線数用或いは低線数用の階調補正処理が適用されるものとする。
【００４８】
ここで、高線数用、近傍高線数用、低線数用の各階調補正について説明する。例えば電子写真方式によるモノクロの画像形成では、記録媒体上に色材であるトナーを付着させるか（黒）、付着させないか（白）の２種類の状態しかない。そこで、単位面積あたりの網点面積で階調表現を行っている。１つ１つの網点は非常に小さいため、人間の眼では各網点を識別できず、灰色であるかのように見える。黒い網点と白い背景の面積の割合によってその部分の明るさが決まることになる。このような面積階調において、単位面積あたりの白黒比率が同じでも、線数が異なると１つ１つの網点の塊のサイズが変わることになる。線数とは、1インチあたりの網点の数を示す指標であり、例えば1インチ当たりに106個の網点がある場合の線数は106線となる。実際にプリンタで印刷すると、網点のサイズの違いによってトナーの載り方が変わることになる。図１２（ａ）は、縦軸に出力濃度値、横軸に入力濃度値（ドット比率）をとったときのプリンタの出力特性を示すグラフであり、実線が212線、破線が106線の場合をそれぞれ示している。図１２（ａ）のグラフから明らかなように、線数が高いときは個々の網点が小さいため、濃度が低い部分（明るい部分）ではなかなかトナーが載らず、濃度が高い部分（暗い部分）では小さい白地が表現できず潰れてしまう傾向がある。そして、線数が低いときはこの逆の傾向を示すことが分かる。そして、オブジェクトの属性毎に画質において重視する点も異なる。例えば、文字であれば可読性が重視され、写真やグラフィックでは明るい部分の階調性が重視される。図１２（ｂ）は、横軸に入力濃度値（ドット比率）、縦軸にターゲットとする出力濃度値をとったときの属性による特性の違いを示したグラフである。例えば、文字の場合は濃度が低くても文字の可読性が確保できるように上に凸となる実線で示す特性のＬＵＴを用いて階調補正を行なう。一方、写真やグラフィックスの場合は、明るい部分で滑らかな階調となるように下に凸となる破線で示す特性のＬＵＴを用いて階調補正を行なう。上述した観点から、高線数用、近傍高線数用、低線数用のそれぞれに適した階調補正を行う必要がある。それぞれの階調補正における特徴は以下のとおりである。
・高線数用：文字や細線を構成する画素に対する階調補正なので、上に凸となるように212線の特性（図１２（ａ）の実線で示す特性）を補正する。
・近傍高線数用：周辺に文字や細線が存在する領域を構成する画素に対する階調補正であり、背景に馴染ませたいので、背景と同様に下に凸となるように212線の特性（図１２（ａ）の実線で示す特性）を補正する。
・低線数用：写真やグラフィックスを構成する画素に対する階調補正なので、下に凸となるように106線の特性（図１２（ａ）の破線で示す特性）を補正する。
【００４９】
そして、上記各特徴が実現されるような、入力濃度値（信号値）を狙いの出力濃度値に補正するためのテーブル（ＬＵＴ）を予め用意しておき、オブジェクトの属性に応じたＬＵＴを用いて入力濃度値が補正される。以下、詳しく説明する。
【００５０】
ステップ１１０１では、着目画素の属性情報を参照し、まず、Text属性、SmallText属性、ThinLine属性のいずれかに該当するかどうかが判定される。判定の結果、いずれかの属性に該当する場合は、ステップ１１０２に進む。一方、着目画素の属性が、これら以外の属性（すなわち、Graphics属性又はImage属性のいずれか）である場合は、ステップ１１０３に進む。
【００５１】
ステップ１１０２では、着目画素に対して、上述した高線数用の階調補正処理が施される。このとき、文字や線がハッキリするようにコントラストを強調するガンマ補正を追加で適用してもよい。
【００５２】
ステップ１１０３では、切替フラグを参照して処理の切り替えを行なう。具体的には、切替フラグがONであればステップ１１０４に進み、切替フラグがOFFであればステップ１１０５に進む。
【００５３】
ステップ１１０４では、着目画素に対して、上述した近傍高線数用の階調補正処理が施される。このとき、周囲の濃度と馴染むように元々の属性（Graphics/Image）に応じたガンマ補正を追加で適用してもよい。
【００５４】
ステップ１１０５では、着目画素に対して低線数用の階調補正処理が施される。このとき、階調性がより滑らかになるようなガンマ補正を追加で適用してもよい。
【００５５】
以上が、オブジェクト属性と切替フラグに応じた階調補正処理の内容である。
【００５６】
（中間調処理）
次に、中間調処理部３０５における、オブジェクト属性と切替フラグに基づいた処理内容の切替を伴う中間調処理について説明する。図１３は、本実施例に係る、中間調処理の流れを示すフローチャートである。なお、本フローチャートでは説明の簡略化のため、モノクロ印刷とし、「中間調設定」の内容として前述の「パターン２」が設定されているものとして説明を行なうものとする。つまり、Text属性（SmallTextとThinLineを含む）の場合は高線数用のスクリーンが適用され、Graphics属性とImage属性の場合は切替フラグに応じて近傍高線数用或いは低線数用のスクリーンが適用されるものとする。
【００５７】
ステップ１３０１では、着目画素の属性情報を参照し、まず、Text属性、SmallText属性、ThinLine属性のいずれかに該当するかどうかが判定される。判定の結果、いずれかの属性に該当する場合は、ステップ１３０２に進む。一方、着目画素の属性が、これら以外の属性（すなわち、Graphics属性又はImage属性のいずれか）である場合は、ステップ１３０３に進む。
【００５８】
ステップ１３０２では、階調補正後のCMYKデータにおける着目画素に対して、高線数用に予め定めた線数（例えば212線）のスクリーンを用いた中間調処理が施され、網点画像データが生成される。生成された網点画像データは、プリンタ部２３０に送られる。
【００５９】
ステップ１３０３では、切替フラグを参照して処理の切り替えを行なう。具体的には、切替フラグがONであればステップ１３０４に進み、切替フラグがOFFであればステップ１３０５に進む。
【００６０】
ステップ１３０４では、階調補正後のCMYKデータにおける着目画素に対して、近傍高線数用に予め定めた線数（例えば212線）のスクリーンを用いた中間調処理が施され、上述の網点画像データが生成される。これにより、SmallText属性やThinLine属性の画素の近傍にある限定された領域（Graphics属性やImage属性の画素部分）の網点サイズを細かくすることができる。なお、近傍高線数用の線数は、少なくとも背景領域（Graphics属性又はImage属性で、かつ、切替フラグがOFFの領域）に割当てる線数以上の線数に決定される。ここで、例えば背景領域と同じ線数にする場合などにおいて、背景領域に割り当てられたスクリーンのタイプが、オブジェクトを線で表現するラインスクリーンであれば、オブジェクトを点で表現するドットスクリーンに変更するだけでもよい。ラインスクリーンの方がドットスクリーンよりもドットの繋がりが強く、小文字や細線のオブジェクト形状を崩す力が強いためである。生成された網点画像データは、プリンタ部２３０に送られる。
【００６１】
ステップ１３０５では、階調補正後のCMYKデータにおける着目画素に対して、低線数用に予め定めた線数（例えば106線）のスクリーンを用いた中間調処理が施され、上述の網点画像データが生成される。生成された網点画像データは、プリンタ部２３０に送られる。
【００６２】
以上が、オブジェクト属性と切替フラグに応じた中間調処理の内容である。
【００６３】
図１４は、本実施例に係る画像処理を行なった場合の効果を説明する図である。図１４の表において、行１４０１は入力画像としてのラスタ画像を示しており、従来の画像処理を行なった場合と本実施例の画像処理を行なった場合とで共通である。行１４０２は属性毎の領域を示す画像であり、本実施例の画像処理を行なった場合には、従来の画像処理にはないNeararea属性の領域（図中、白で示す領域）が存在しているのが分かる。行１４０３は中間調処理後の網点画像を示しており、本実施例の画像処理を行なった場合には、SmallText属性やThinLine属性のオブジェクトに接する周辺の網点のサイズが、背景内の他の網点と比べて小さくなっているのが分かる。行１４０４は実際の印刷結果を示しており、本実施例の画像処理を行なった場合には、小ポイント文字や細線におけるオブジェクトの形状崩れが回避され、可読性が向上しているのが分かる。
【００６４】
以上のとおり本実施例によれば、文字や線（特に小ポイント文字や細線）について、背景の濃度と馴染ませつつ周囲の網点サイズを小さくすることができる。これにより、オブジェクト形状の崩れを軽減し、文字等の可読性低下を防ぐことができる。
【００６５】
［実施例２］
実施例１では、文字や線の近傍領域において、切替フラグ等を用いてスクリーンの切り替えを行なう態様について説明した。実施例１の手法をそのまま適用した場合、中間調処理におけるスクリーンの切り替え箇所でスジなどが生じるという弊害が見られることがある。このような弊害の影響を極力抑えるには、オブジェクトの形状崩れの程度や可読性の低下の程度が大きい部分に限定して本発明を適用するのが望ましいと言える。経験上、単色で表現された小ポイント文字や細線の領域ほど、オブジェクト形状が崩れやすく、可読性が大きく低下することが分かっている。これは、複数色の色材を用いて印刷する場合には、印刷時の色ずれで文字等の輪郭はぼけるものの、角度と線数の異なるスクリーンの使用によって最終的な印刷段階では文字等の形状が補強されるためである。また、トナー色の違いによって背景と文字等との境界が目立ち、結果として輪郭が強調されるという理由もある。そこで、近傍属性判定処理で検出した切替箇所の単色比率を調べ、単色比率が低い場合（オブジェクトの形状崩れや可読性低下の程度が大きいと見込まれる場合）にだけ切替フラグ等を用いたスクリーンの切り替えを行なう態様について実施例２として説明する。
【００６６】
なお、実施例１との共通点については説明を省略し、差異点である切替処理部３０３における処理内容を中心に説明するものとする。
【００６７】
図１５は、本実施例に係る、画像処理部２０８における処理の流れを示すフローチャートである。
【００６８】
ステップ１５０１〜ステップ１５０５の各ステップは、実施例１の図８のフローにおけるステップ８０１〜ステップ８０５にそれぞれ対応する。すなわち、印刷出力対象のPDLデータが取得され（Ｓ１５０１）、レンダリング処理部３０１にてPDLが解釈されてラスタ画像データに変換されると共に、画素毎の属性を示す属性情報が生成される（Ｓ１５０２）。次に、生成されたラスタ画像における着目画素が決定され（Ｓ１５０３）、切替処理部３０３にて属性情報を用いた近傍属性判定処理が実行され、切替フラグが生成される（Ｓ１５０４）。続いて、色変換処理部３０２にて、着目画素の色空間をプリンタ部２３０に対応する色空間に変換する色変換処理が実行される（Ｓ１５０５）。色変換処理後の着目画素のデータは、属性情報及び切替フラグと共に切替処理部３０３に送られる。
【００６９】
ステップ１５０６において、切替処理部３０３は、属性情報と切替フラグを用いて、着目画素に対する単色比率判定処理が実行される。図１６は、単色比率判定処理の詳細を示すフローチャートである。以下、詳しく説明する。
ステップ１６０１では、切替フラグを参照し、処理の切り分けがなされる。切替フラグがONであればステップ１６０２に進む。一方、切替フラグがOFFであれば本処理を抜ける。
【００７０】
ステップ１６０２では、色変換処理部３０２から受け取った注目画素のデータ（ここではCMYKデータ）を参照して各色の単色比率を導出し、CMYKいずれかの単色比率が予め設定された閾値Threより小さいか否かを判定する。具体的には、まず以下の式（１）〜式（４）を用いて、CMYKの色毎に単色比率が求められる。  
Crate = C/(C+M+Y+K)  ・・・式（１）
Mrate = M/(C+M+Y+K)  ・・・式（２）
Yrate = Y/(C+M+Y+K)  ・・・式（３）
Krate = K/(C+M+Y+K)  ・・・式（４）
そして、CMYK各色の単色比率と予め設定された閾値Threとを比較し、CMYKいずれかの単色比率が閾値Thre以上である場合は、スクリーンの切り替えを行なうべく本処理を抜ける。一方、CMYKすべての単色比率が閾値Threよりも低い場合は、スクリーンの切り替えを見送るべく、ステップ１６０３に進む。
【００７１】
ステップ１６０３では、単色比率が低い当該着目画素の切替フラグをONからOFFに書き換える。なお、近傍属性判定処理（Ｓ１５０４）において切替フラグの生成に代えて属性の書換を行っていた場合は、書換前の属性に戻せばよい。
【００７２】
以上が、単色比率判定処理の内容である。図１５のフローチャートの説明に戻る。
【００７３】
ステップ１５０７の階調補正処理及びステップ１５０８の中間調処理は、実施例１の図８のフローにおけるステップ８０６及びステップ８０７にそれぞれ対応する。すなわち、オブジェクト属性と切替フラグに応じた階調補正処理と中間調処理がそれぞれ実行される。
【００７４】
なお、ここでは、画素単位で単色比率を求めているが、これに限定されない。例えば、M×N画素などの面積単位で求めてもよい。また、閾値Threは各色で同じ値としたが、オブジェクト形状の崩れの目立ち方は色によって異なり得ることから、色毎に異なる閾値を設定してもよい。
【００７５】
以上のとおり、本実施例によれば、単色比率の低い部分に限定してスクリーンの切り替え制御が実行され、単色比率の高い部分については弊害の影響を考慮してスクリーンの切り替え制御が行われない。これにより、弊害の影響を考慮しつつ、文字や線（特に小ポイント文字や細線）について、その背景の濃度と馴染ませつつ周囲の網点サイズを小さくすることができる。
【００７６】
［実施例３］
実施例２で説明した単色比率の判定は、色変換後の画像データ（実施例２ではCMYKデータ）を参照した処理であるため負荷が大きく処理に時間を要する。そこで、実施例２の効果が期待できる場合にのみ単色比率判定処理を実行する態様について、実施例３として説明する。なお、実施例２との共通点については説明を省略し、以下では差異点を中心に説明するものとする。
【００７７】
図１７は、本実施例に係る、単色比率判定処理を実行するか否かを判定する処理の流れを示すフローチャートである。この単色比率判定の実行要否判定処理は、前述の図１５のフローにおいて、例えば色変換処理の実行直後等の段階（ステップ１５０６より前であればよい）で、切替処理部３０３によって実行される。
【００７８】
ステップ１７０１では、印刷を行う画像形成装置１０１がカラー機かモノクロ機かが判定される。モノクロ機であれば、出力されるページはすべて単色で印刷され、単色比率を判定する意味がないため、単色比率判定処理の実行を決定することなく（すなわち不実行とするべく）本処理を抜ける。一方、カラー機であれば、ステップ１７０２に進む。
【００７９】
ステップ１７０２では、処理対象ページが、単色で印刷されるページ（単色ページ）か或いは複数色の色材で印刷されるページ（複数色ページ）かが判定される。  この判定は、例えば以下のようになされる。  
１）カラーモード設定欄４０３で「カラー印刷」が設定されている場合
・原則として、複数色ページと判定し、ステップ１７０３に進む。  
・ただし、項目一覧表示欄５０１の「色数」にて１色（CMYKのいずれか）が設定されている場合は、単色比率判定処理の実行を決定することなく本処理を抜ける。  
２）カラーモード設定欄４０３で「カラー／モノクロ自動切替」が設定されている場合
・別途実行されるカラー／モノクロ判定処理においてカラーページであると判定されれば複数色ページと判定し、ステップ１７０３に進む。  
・カラー／モノクロ判定処理においてモノクロページと判定された場合は、単色比率判定処理の実行を決定することなく本処理を抜ける。  
３）カラーモード設定欄４０３で「モノクロ印刷」が設定されている場合
・単色ページであると判定し、単色比率判定処理の実行を決定することなく本処理を抜ける。  
そして、ステップ１７０３では、単色比率判定処理の実行が決定される。
【００８０】
以上が、単色比率判定の実行要否判定処理の内容である。この実行要否判定処理の結果、ステップ１７０３で単色比率判定の実行が決定されれば、前述の図１５のフローにおいて、ステップ１５０６の単色比率判定処理が実行されるよう制御される。一方、ステップ１７０３を経由することなく本判定処理が終わった場合は、前述の図１５のフローにおいて、ステップ１５０６の単色比率判定処理はスキップされ、ステップ１５０７の階調補正処理が実行されるように制御される。
【００８１】
以上のとおり、本実施例によれば、実施例２の効果が期待できる場合に限定して単色比率判定処理が実行されるので、効率よく処理することができる。
【００８２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2017085456.tif 000003
【図２】
2017085456.tif 000004
【図３】
2017085456.tif 000005
【図４】
2017085456.tif 000006
【図５】
2017085456.tif 000007
【図６】
2017085456.tif 000008
【図７】
2017085456.tif 000009
【図８】
2017085456.tif 000010
【図９】
2017085456.tif 000011
【図１０】
2017085456.tif 000012
【図１１】
2017085456.tif 000013
【図１２】
2017085456.tif 000014
【図１３】
2017085456.tif 000015
【図１４】
2017085456.tif 000016
【図１５】
2017085456.tif 000017
【図１６】
2017085456.tif 000018
【図１７】
2017085456.tif 000019